(57)【要約】【課題】手狭となっている調理スペースの問題を解決するとともに、家庭内における生活を楽しくできる住宅を提供する。【解決手段】一階の中心に調理スペース、つまり台所１を配置し、台所１が周囲のダイニングルーム４やリビングルーム５などと可動間仕切り、例えばブラインドＢなどにより遮断された空間となし得るようにされてなる住宅Ｊである。台所１の背面には、食器棚、冷蔵庫、ゴミ箱などを収納するユーティリティースペース２が配設されている。ブラインドＢは、周囲の壁とデザインが統一されている。【選択図】図１
2014043745.tif 000002
【特許請求の範囲】
【請求項１】
一階の中心に調理スペースを配置し、前記調理スペースが周囲のスペースと遮断された空間となし得るようにされてなることを特徴とする住宅。
【請求項２】
調理スペースの背面にユティリティスペースが配設されてなることを特徴とする請求項１記載の住宅。
【請求項３】
調理スペースの前面に土間が配設されてなることを特徴とする請求項１記載の住宅。
【請求項４】
調理スペースの一側面にダイニングルームが配設され、他側面にリビングルームが配設されてなることを特徴とする請求項１記載の住宅。
【請求項５】
調理スペースを周囲のスペースとの遮断が可動間仕切りによりなされるようにされてなることを特徴とする請求項１記載の住宅。
【請求項６】
可動間仕切りが、ブラインドまたは御簾調すだれとされてなることを特徴とする請求項５記載の住宅。
【請求項７】
可動間仕切りが周囲の壁面と一体感を醸し出すよう調整されてなることを特徴とする請求項５記載の住宅。
【請求項８】
可動間仕切りのデザインと周囲の壁面のデザインとが統一されてなることを特徴とする請求項７記載の住宅。
【請求項９】
リビングの土間側に縁側が配設されてなることを特徴とする請求項４記載の住宅。
【発明の詳細な説明】
【技術分野】
【０００１】
本発明は住宅に関する。さらに詳しくは、台所つまり調理スペースを住宅の一階の中心に配置した住宅に関する。
【背景技術】
【０００２】
従来より、住宅においては調理や食事の際における家族の団らんを目的として調理スペース(台所)１‘に対面カウンター式システムキッチンｋが多く採用されている。システムキッチンｋのワークトップには、食器乾燥機などが置かれる一方、下の空間は収納スペースとされている。
【０００３】
また、かかる対面カウンター式システムキッチンｋが採用された調理スペース１‘においては、背面の壁面に沿って食器棚や冷蔵庫などが置かれる構成となっている。背面の壁面は、食器棚や冷蔵庫の利便性を考慮して振り向いて手の届く範囲に食器棚や冷蔵庫が位置するようにその位置が調整されている。そのため、システムキッチンｋと食器棚や冷蔵庫との間は狭い。その狭い間に、一般的には、ゴミ箱ｂが置かれている(図９参照)。
【０００４】
しかるに、最近は分別収集がなされているところから、その分別に応じた分だけのゴミ箱ｂが必要となる。多い場合には、六種類のゴミ箱ｂが必要となる。そのため、調理スペース１‘が手狭となっている。
【０００５】
なお、調理スペース(キッチン)を住宅のほぼ中央に配置することについては、特許文献１に提案がなされている。
【先行技術文献】
【特許文献】
【０００６】
【特許文献１】特開２０００−２７４０９０号公報
【発明の開示】
【発明が解決しようとする課題】
【０００７】
本発明はかかる従来技術の課題に鑑みなされたものであって、手狭となっている調理スペースの問題を解決するとともに、家庭内における生活を楽しくできる住宅を提供することを目的としている。
【課題を解決するための手段】
【０００８】
本発明の住宅は、一階の中心に調理スペースを配置し、前記調理スペースが周囲のスペースと遮断された空間となし得るようにされてなることを特徴とする。
【０００９】
本発明の住宅においては、調理スペースの背面にユティリティスペースが配設されてなるのが好ましい。
【００１０】
また、本発明の住宅においては、調理スペースの前面に土間が配設されてなるのが好ましい。
【００１１】
また、本発明の住宅においては、調理スペースの一側面にダイニングルームが配設され、他側面にリビングルームが配設されてなるのが好ましい。その場合、リビングの土間側に縁側が配設されてなるのがさらに好ましい。
【００１２】
また、本発明の住宅においては、調理スペースを周囲のスペースとの遮断が可動間仕切りによりなされるようにされてなるのが好ましい。その場合、可動間仕切りが、ブラインドまたは御簾調すだれとされてなるのがさらに好ましい。
【００１３】
また、本発明の住宅においては、可動間仕切りが周囲の壁面と一体感を醸し出すよう調整されてなるのが好ましい。その場合、可動間仕切りのデザインと周囲の壁面のデザインとが統一されてなるのがさらに好ましい。
【発明の効果】
【００１４】
本発明は前記の如く構成されているので、台所などの調理スペースを隠すことができるとともに、調理スペースを独立した空間となし得るという優れた効果を奏する。また、必要なときに、調理スペースをダイニングルームやリビングルームと一体となし得るので、住宅を利用状況に合わせたアレンジができ、生活スタイルに合った住宅構成とできるという優れた効果を奏する。
【００１５】
また、ユティリティスペースが調理スペースの背面に配設された本発明の好ましい形態においては、調理スペースの手狭感を解消できるという優れた効果を奏する。
【図面の簡単な説明】
【００１６】
【図１】本発明の住宅の一例の平面図である。
【図２】利用態様１の概略図である。
【図３】利用態様２の概略図である。
【図４】利用態様３の概略図である。
【図５】利用態様４の概略図である。
【図６】利用態様５の概略図である。
【図７】利用態様６の概略図である。
【図８】利用態様７の概略図である。
【図９】従来の住宅の台所の平面図である。
【発明を実施するための形態】
【００１７】
以下、添付図面を参照しながら本発明を実施形態に基づいて説明するが、本発明はかかる実施形態のみに限定されるものではない。
【００１８】
本発明の一実施形態に係る住宅Ｊの平面図を図１に示す。
【００１９】
住宅Ｊは、図１に示すように、台所(調理スペース)１を一階の中心に配置し、その周囲に所要スペースを配置し、台所１と隣接スペースとの境界にブランドＢを配置して台所を周囲と遮断された空間となし得るようにされてなるものとされる。
【００２０】
すなわち、図１に示すように、台所１を中央に配置し、背面にユーティリティスペース(以下、単にユーティリティという)２を配置し、正面に土間３を配置し、一側面にダイニングルーム(以下、単にダイニングという)４を配置し、他側面にリビングルーム(以下、単にリビングという)５を配置してなるものとされる。ユーティリティ２には、調理器具、食器棚、冷蔵庫、ゴミ箱などが収納される。また、ユーティリティ２には、移動式ワゴンが収納されてもよい。図中、符号６は縁側を示す。
【００２１】
ブランドＢは、壁面感覚を醸し出すよう、例えば周囲の壁面とデザインが統一された木彫ブライドとされる。
【００２２】
しかして、ブラインドＢを上げることにより、台所１と隣接するスペースや空間との一体感を醸し出すことができる、その逆に、ブラインドＢを下ろすことにより、台所１と隣接するスペースや空間とを間仕切ることができる。つまり、台所を周囲と遮断された空間とすることができる。なお、木彫ブラインドに替えて、御簾調ロールスクリーンとされてもよい。
【００２３】
次に、かかる構成とされた住宅Ｊの利用態様について説明する。
【００２４】
利用態様１
図２に示すように、土間３との境界のブラインドＢを上げておくと、帰宅した際にシステムキッチンＫで調理している母親や妻が出迎えてくれて安堵感を与えてくれる。
利用態様２
図３に示すように、一側面(ダイニング４側の面)の境界のブラインドＢと、他側面(リビング５側の面)との境界のブラインドＢとを同時に上げると、ダイニング４からリビング５まで目線が通り、家族のふれあいが緊密となる。
【００２５】
利用態様３
図４に示すように、前面(土間３側の面) の境界のブラインドＢと、一側面(ダイニング４側の面) の境界のブラインドと、他側面(リビング５側の面)との境界のブラインドＢとを同時に下げ、ユーティリティ２側の面のブラインドＢを上げると、調理に必要な台所１とユーティリティ２とが一体化されるとともに、調理に必要のない他のスペースと遮断された空間となるので、他の部屋の様子を気にすることなく、調理に専念できるとともに調理が効率よくできる。また、台所の煩雑さも隠すことができる。
【００２６】
利用態様４
図５に示すように、前面(土間３側の面) の境界のブラインドＢと、他側面(リビング５側の面) の境界のブラインドＢと、ユーティリティ２側の面の境界のブラインドＢとを同時に下げ、一側面(ダイニング４側の面)のブラインドＢを上げると、ダイニング４で食事をしている家族の様子を見ながら調理したり、食事をしている家族との会話を楽しみながら調理することができ、調理する楽しさが増える。
【００２７】
利用態様５
図６に示すように、前面(土間３側の面) の境界のブラインドＢと、他側面(リビング５側の面) の境界のブラインドＢとを同時に下げれば、台所１が隠されリビング５と土間３の連なった空間ができ、子供の人気スポットとなる。とりわけ、雨の日には子供の大切な遊び場となる。
【００２８】
利用態様６
図７に示すように、前面(土間３側の面) の境界のブラインドＢと、一側面(ダイニング４側の面) の境界のブラインドＢと、ユーティリティ２側の面の境界のブラインドＢとを同時に下げ、他側面(リビング５側の面) の境界のブラインドＢを上げれば、我が家のカフェを楽しむことができる。台所１で入れたお茶やカクテルをリビング５で楽しむことができる。急な来客には、土間３とリビング５との境界に設けられた縁側６で応対ができる。
【００２９】
利用態様７
図８に示すように、前面(土間３側の面) の境界のブラインドＢと、ユーティリティ２側の面の境界のブラインドＢとを同時に下げ、一側面(ダイニング４側の面) の境界のブラインドＢと、他側面(リビング５側の面) の境界のブラインドＢとを同時に上げれば、ダイニング４とリビング５をつなげることができ、ダイニング４で食事をした後、台所１に使った食器を置きながらリビング５に行けば、食事の後片づけが効率的になされる。
【産業上の利用可能性】
【００３０】
本発明は住宅産業に適用できる。
【符号の説明】
【００３１】
１        台所、調理スペース
２        ユーティリティスペース
３        土間
４        ダイニングルーム、ダイニング
５        リビングルーム、リビング
６        縁側
Ｊ        住宅
Ｂ        ブラインド
Ｋ        システムキッチン
【図１】
2014043745.tif 000003
【図２】
2014043745.tif 000004
【図３】
2014043745.tif 000005
【図４】
2014043745.tif 000006
【図５】
2014043745.tif 000007
【図６】
2014043745.tif 000008
【図７】
2014043745.tif 000009
【図８】
2014043745.tif 000010
【図９】
2014043745.tif 000011